(57)【要約】【課題】本発明は、色補正処理が施された画像を含む出力画像を作成するための手間を軽減することのできるデータ変換装置、およびデータ変換プログラムを提供することを目的とする。【解決手段】ページ記述データによって表現されたページ中の画像を認識する画像認識部と、画像認識部で認識された個々の画像について所定の画像解析を行なう画像解析部と、画像解析部での解析結果に応じて個々の画像に画像補正処理を施す補正部と、画像補正処理が施された画像を含むページを表すラスターデータを生成する補正後データ生成部とを備えたことを特徴とする。いわゆるＲＩＰ内に、ページ内の個々の画像を解析して画像補正を施すオートセットアップ機能を備えることにより、煩雑な作業を必要とせず、高速に出力画像を作成することができる。【選択図】        図５
2004274720.tif 000002
【特許請求の範囲】
【請求項１】
画像及び／又は文字を含むページを記述するページ記述データによって表現されたページ中の画像を認識する画像認識部と、
前記画像認識部で認識された個々の画像について所定の画像解析を行なう画像解析部と、
前記画像解析部によって解析された解析結果に応じた画像補正処理を、前記ページ中の、その解析結果に対応する画像に施す画像補正部とを備えたことを特徴とするデータ変換装置。
【請求項２】
前記画像補正部で画像に画像補正処置が施されたページを表すラスターデータを生成する補正後データ生成部を備えたことを特徴とする請求項１記載のデータ変換装置。
【請求項３】
前記画像補正処理を実行するか否かを選択的に指定する処理指定部と、
前記処理指定部で、前記画像補正処理を実行しないことが指定された場合に、前記画像解析部と前記画像補正部と前記補正後データ生成部とによる一連の処理に替えて、前記ページ記述データによって表現されたページを表すラスターデータの生成を行う無補正データ生成部とを備えたことを特徴とする請求項２記載のデータ変換装置。
【請求項４】
前記画像解析部が、前記画像認識部で認識された個々の画像について、色に関する特性を解析するものであり、
前記画像補正部が、前記画像解析部によって解析された特性に応じた色補正処理を、前記ページ中の、その特性を有する画像に施すものであることを特徴とする請求項１記載のデータ変換装置。
【請求項５】
前記画像解析部は、前記特性として、画像の色の階調の特性を解析するものであり、
前記画像補正部は、画像に、前記画像解析部で解析された特性に応じた階調補正処理を施すものであることを特徴とする請求項４記載のデータ変換装置。
【請求項６】
前記画像解析部が、前記画像認識部で認識された個々の画像について、その画像におけるシーンを推定するシーン解析を行なうものであり、
前記画像補正部が、前記画像認識部で認識された個々の画像について、前記シーン解析によって推定されたシーンに応じた画像補正処理を、前記ページ中の、そのシーンの画像に施すものであることを特徴とする請求項１記載のデータ変換装置。
【請求項７】
前記画像解析部が、前記画像認識部で認識された個々の画像について、所定の不具合を検出するものであり、
前記画像補正部が、前記画像認識部で認識された個々の画像について、前記画像解析部によって検出された不具合を補正する画像補正処理を、前記ページ中の、その不具合を有する画像に施すものであることを特徴とする請求項１記載のデータ変換装置。
【請求項８】
画像及び／又は文字を含むページを記述するページ記述データによって表現されたページ中の画像を認識する画像認識部と、
前記画像認識部で認識された個々の画像について所定の画像解析を行なう画像解析部と、
前記画像解析部によって解析された解析結果に応じた画像補正処理を、前記ページ中の、その解析結果に対応する画像に施す画像補正部とを備えたことを特徴とするデータ変換プログラム。
【発明の詳細な説明】
【技術分野】
【０００１】
本発明は、画像および文字を含むページを表すページ記述データを、網点形式のラスターデータに変換するデータ変換装置、およびデータ変換プログラムに関する。
【背景技術】
【０００２】
従来より、印刷の分野において、コンピュータを利用して編集の作業を行うＤＴＰ（ＤｅｓｋＴｏｐ  Ｐｕｂｌｉｓｈｉｎｇ）が広範に適用されている。ＤＴＰは、ＷＹＳＩＷＹＧ（Ｗｈａｔ  Ｙｏｕ  Ｓｅｅ  Ｉｓ  Ｗｈａｔ  Ｙｏｕ  Ｇｅｔ＝見たままに出力する）という思想を実現するものであり、オペレータは、表示画面を見ながら文字や画像の編集を行い、印刷物のイメージを確認してから、画像などをプリンタやイメージセッタなどで印刷・製版することができる。
【０００３】
このＤＴＰにおいて、オペレータが文字や画像を編集する際に使用するソフトウェアは、一般にＤＴＰソフトウェアとよばれている。ＤＴＰソフトウェアは、オペレータによって編集された文字や画像を基に、ページごとのイメージを表現するページ記述データとよばれる形式のデータを生成する。このページ記述データは、このままではプリンタなどの出力デバイスで出力することができないため、ＲＩＰ（Ｒａｓｔｅｒ  Ｉｍａｇｅ  Ｐｒｏｃｅｓｓｏｒ）でページ記述データを出力デバイスで出力可能なラスターデータに変換し、出力デバイスでは、このラスターデータに基づく出力画像が出力される。
【０００４】
ところで、デジタルカメラの普及に伴い、デジタルカメラで撮影した撮影画像を印刷用の画像として使用することが広範に行われている。撮影画像には、例えば、逆光で撮影した撮影画像は全体的に白すぎるなどという不都合が生じていることがあり、このような場合、画像を修正するためのレタッチソフトウェアが用いられて各撮影画像ごとに色の補正が施される。マウスなどを駆使して手動で画像の色を補正するのは、熟練した技術を要するものであるが、近年では、色の階調などのような画像の色の特性を解析し、その特性に応じた色補正処理を自動的に画像に施すオートセットアップ機能が備えられたレタッチソフトウェアも知られている（例えば、特許文献１参照）。オペレータは、レタッチソフトウェアのオートセットアップ機能を使って、画像に容易に色補正処理を施し、この色補正処理が施された見た目に好ましい色合いの画像を、ＤＴＰソフトウェアを使って、ページ記述データで表現されるページに貼り付けることができる。
【特許文献１】特開平２−１０５６７６号公報
【発明の開示】
【発明が解決しようとする課題】
【０００５】
ところが、多数の撮影画像を印刷用の画像として使用する場合、レタッチソフトウェアを立ち上げ、各撮影画像に逐一色補正処理を施し、さらに各画像をページに貼り付ける作業は、上述したオートセットアップ機能を利用しても大変煩雑で時間のかかる作業である。
【０００６】
このような煩雑さは、特に、オンデマンドプリンタと称される印刷用のプリンタをＲＩＰに接続して印刷物を作成する際に問題となる。オンデマンドプリンタは、印刷機とは異なって製版作業を行う必要がなく、印刷コストや画像の出力処理時間を大幅に抑えることができるため、近年では、ビジネス文書などを作成する際に広く用いられている。ここで、オンデマンドプリンタで作成される印刷物は、印刷機での大掛かりな作業を経て作成される印刷物と比べて、厳密な画質を求められるものではないため、上述した色補正処理を含む一連の編集作業は、多くの時間をかけずに手軽に行いたいという要望が強い。しかし、一方で、ビジネス文書にデジタルカメラでの撮影画像を貼り込みたいという要望は高まっており、上述した煩雑な作業の軽減が望まれている。
【０００７】
本発明は、上記事情に鑑み、色補正処理などといった画像補正処理が施された画像を含む出力画像を作成するための手間を軽減することのできるデータ変換装置、およびデータ変換プログラムを提供することを目的とする。
【課題を解決するための手段】
【０００８】
上記目的を達成する本発明のデータ変換装置は、画像及び／又は文字を含むページを記述するページ記述データによって表現されたページ中の画像を認識する画像認識部と、
上記画像認識部で認識された個々の画像について所定の画像解析を行なう画像解析部と、
上記画像解析部によって解析された解析結果に応じた画像補正処理を、上記ページ中の、その解析結果に対応する画像に施す画像補正部とを備えたことを特徴とする。
【０００９】
本発明のデータ変換装置によると、補正前の画像を含むページから、そのページに含まれる画像を認識し、認識された各画像それぞれについて所定の画像解析を行ない、解析結果に応じた画像補正処理を各画像にそれぞれ施す。例えば、本発明のデータ変換装置をいわゆるＲＩＰに適用することにより、ページに含まれる画像を個々に解析して各画像に合った画像補正処理を施す機能を上記のＲＩＰ内に備えると、例えば色補正処理などといった、画像補正処理が施された画像を含むページを生成する一連の処理が簡素化され、高速に処理を行うことができる。
【００１０】
また、本発明のデータ変換装置は、上記画像補正部で画像に画像補正処置が施されたページを表すラスターデータを生成する補正後データ生成部を備えたものであるという形態であってもよい。
【００１１】
上記補正後データ生成部を備えた本発明のデータ変換装置は、上記のＲＩＰに容易に適用することができる。
【００１２】
また、上記補正後データ生成部を備えた本発明のデータ変換装置は、
「上記画像補正処理を実行するか否かを選択的に指定する処理指定部と、
上記処理指定部で、上記画像補正処理を実行しないことが指定された場合に、上記画像解析部と上記画像補正部と上記補正後データ生成部とによる一連の処理に替えて、上記ページ記述データによって表現されたページを表すラスターデータの生成を行う無補正データ生成部とを備えたものである」
ことが好ましい。
【００１３】
例えば、すでに画像補正処理が施された画像によって構成されるページについては、そのページに含まれる画像にさらに画像補正処理を施す必要はなく、画像補正処理を実行するか否かを選択できることが好ましい。
【００１４】
また、本発明のデータ変換装置が、
「上記画像解析部が、上記画像認識部で認識された個々の画像について、色に関する特性を解析するものであり、
上記画像補正部が、上記画像解析部によって解析された特性に応じた色補正処理を、上記ページ中の、その特性を有する画像に施すものである」
という形態は好ましい形態である。
【００１５】
例えば、写真には、大多数の人に好まれる見た目に好ましい色合いがあることが知られている。上記のような好ましい形態のデータ変換装置によれば、ページに含まれる画像を個々に解析して各画像に合った色補正処理を施すことにより、それらのページに含まれる画像の色合いを、例えば上記の見た目に好ましい色合いに補正することができる。
【００１６】
また、上記のような好ましい形態のデータ変換装置は、
「上記画像解析部は、上記特性として、画像の色の階調の特性を解析するものであり、
上記画像補正部は、画像に、上記画像解析部で解析された特性に応じた階調補正処理を施すものである」
という形態であってもよく、あるいは、
「上記画像解析部が、上記画像認識部で認識された個々の画像について、その画像におけるシーンを推定するシーン解析を行なうものであり、
上記画像補正部が、上記画像認識部で認識された個々の画像について、上記シーン解析によって推定されたシーンに応じた画像補正処理を、上記ページ中の、そのシーンの画像に施すものであることを特徴とする」
という形態であってもよく、あるいは、
「上記画像解析部が、上記画像認識部で認識された個々の画像について、所定の不具合を検出するものであり、
上記画像補正部が、上記画像認識部で認識された個々の画像について、上記画像解析部によって検出された不具合を補正する画像補正処理を、上記ページ中の、その不具合を有する画像に施すものであることを特徴とする」
という形態であってもよい。
【００１７】
ページに含まれている画像の色の階調の特性を解析することにより、例えば、逆光で撮影された全体的に白っぽい撮影画像の色を全体的に暗くするなど、画像に合った階調補正処理を施すことができる。また、画像のシーンとしては、例えば人物、風景、夕景などといった様々なシーンが挙げられるが、これらのシーンそれぞれについては、多くの人に好まれる見た目に好ましい画像の色合いがあることが知られているので、ページに含まれている画像のシーンを解析することにより、画像をシーンに応じた好ましい色合いに補正することなどが可能となる。また、画像には、人物の目が赤く写ってしまういわゆる赤目現象や、傷などといった不具合が含まれている可能性があるが、ページに含まれている画像の不具合を検出することにより、そのような赤目や傷を補正することなどが可能となる。
【００１８】
また、本発明のデータ変換プログラムは、画像及び／又は文字を含むページを記述するページ記述データによって表現されたページ中の画像を認識する画像認識部と、
上記画像認識部で認識された個々の画像について所定の画像解析を行なう画像解析部と、
上記画像解析部によって解析された解析結果に応じた画像補正処理を、上記ページ中の、その解析結果に対応する画像に施す画像補正部とを備えたことを特徴とする。
【００１９】
本発明のデータ変換プログラムをコンピュータ内で実行させることによって、そのコンピュータを上記のようなデータ変換装置として動作させることができる。
【００２０】
さらに、本発明のデータ変換プログラムは、上記画像補正部で画像に画像補正処置が施されたページを表すラスターデータを生成する補正後データ生成部を備えたものであってもよい。
【００２１】
本発明のデータ変換プログラムは、本発明のデータ変換装置の各種態様に対応する各種態様の全てを含む。
【発明の効果】
【００２２】
以上、説明したように、本発明によれば、色補正処理などといった画像補正処理が施された画像を含む出力画像を作成するための手間を軽減することができる。
【発明を実施するための最良の形態】
【００２３】
以下、本発明の実施形態について説明する。
【００２４】
図１は、本発明の一実施形態が適用された画像処理システムの全体構成図である。この画像処理システムは、コンピュータを使って印刷物を作成するＤＴＰが適用されており、オペレータがパーソナルコンピュータ１００を使って編集した文字や画像を含むページを、カラープリンタ２００で出力するシステムである。
【００２５】
カラースキャナ（図示しない）で原稿画像が読み取られて生成された画像データや、デジタルカメラ（図示しない）で撮影された撮影画像に基づく画像データなどは、パーソナルコンピュータ１００に入力される。
【００２６】
パーソナルコンピュータ１００では、オペレータにより、文字や入力された画像データに基づく画像を含むページが電子的に編集され、編集されたページを表すページ記述データが生成される。このページ記述データは、いわゆるＰＤＬ（Ｐａｇｅ  Ｄｅｓｃｒｉｐｔｉｏｎ  Ｌａｎｇｕａｇｅ）で記述された言語データであり、このままでは、カラープリンタ２００で出力することはできない。したがって、このページ記述データはＲＩＰ１０１に入力され、ＲＩＰ１０１において、カラープリンタ２００で出力可能なラスターデータに変換される。変換後のラスターデータは、カラープリンタ２００に入力され、カラープリンタ２００では、その入力されたラスターデータに基づく出力画像２１０が作成される。
【００２７】
ここで、この図１に示す画像処理システムにおける、本発明の一実施形態としての特徴は、パーソナルコンピュータ１００のＲＩＰ１０１で実行される処理内容にあり、以下、このＲＩＰ１０１を備えたパーソナルコンピュータ１００について説明する。
【００２８】
図２は、図１のパーソナルコンピュータ１００の外観斜視図、図３はそのハードウェア構成図である。
【００２９】
このパーソナルコンピュータ１００は、外観構成上、本体装置１１０、その本体装置１１０からの指示に応じて表示画面１２１上に画像を表示する画像表示装置１２０、本体装置１１０に、キー操作に応じた各種の情報を入力するキーボード１３０、および、表示画面１２１上の任意の位置を指定することにより、その位置に表示された、例えばアイコンなどに応じた指示を入力するマウス１４０を備えている。この本体装置１１０は、外観上、フレキシブルディスク（以下、ＦＤと省略する）を装填するためのＦＤ装填口１１１、およびＣＤ−ＲＯＭを装填するためのＣＤ−ＲＯＭ装填口１１２を有する。
【００３０】
本体装置１１０の内部には、図３に示すように、各種プログラムを実行するＣＰＵ１１３、ハードディスク装置１１５に格納されたプログラムが読み出されＣＰＵ１１３での実行のために展開される主メモリ１１４、各種プログラムやデータなどが保存されたハードディスク装置１１５、ＦＤ４００をアクセスするＦＤドライブ１１６、ＣＤ−ＲＯＭ４１０が装填され、その装填されたＣＤ−ＲＯＭ４１０をアクセスするＣＤ−ＲＯＭドライブ１１７、図示しないカラースキャナやデジタルカメラから画像データを入力する入力インタフェース１１８、編集後のラスターデータを図１のカラープリンタ２００に出力する出力インタフェース１１９が内蔵されており、これらの各種要素と、さらに図２にも示す画像表示装置１２０、キーボード１３０、マウス１４０は、バス１５０を介して相互に接続されている。
【００３１】
ここで、ＣＤ−ＲＯＭ４１０には、本発明のデータ変換プログラムの一実施形態が適用され、パーソナルコンピュータ１００をＲＩＰ１０１として動作させるためのデータ変換プログラムが記憶されている。そのＣＤ−ＲＯＭ４１０はＣＤ−ＲＯＭドライブ１１７に装填され、そのＣＤ−ＲＯＭ４１０に記憶されたデータ変換プログラムがこのパーソナルコンピュータ１００にアップロードされてハードディスク装置１１５に記憶される。そして、このデータ変換プログラムが起動されて実行されることにより、パーソナルコンピュータ１００は、本発明のデータ変換装置の一実施形態が適用されたＲＩＰ１０１として動作する。
【００３２】
次に、本発明の第１実施形態が適用された図１のＲＩＰ１０１を生成するためのデータ変換プログラムについて説明する。
【００３３】
図４は、本発明のデータ変換プログラムの第１実施形態が記憶されたＣＤ−ＲＯＭ４１０を示す概念図である。
【００３４】
ＣＤ−ＲＯＭ４１０に記憶された第１のデータ変換プログラム５００は、画像認識部５１０、第１の画像解析部５２０、色補正部５３０、第２の画像解析部５３１、他補正部５３２、画像変換部５４０、文字変換部５５０、第１の処理分岐部５６０、第２の処理分岐部５６５、処理指定部５７０、画像合成部５７５、および画像展開部５８０とで構成されている。ここで、画像認識部５１０は本発明のデータ変換プログラムにおける画像認識部の一例に相当し、同様に、第１の画像解析部５２０と第２の画像解析部５３１をあわせたものは画像解析部の一例に相当し、色補正部５３０と他補正部５３５とをあわせたものは画像補正部の一例に相当し、処理指定部５７０は処理指定部の一例に相当し、画像展開部５８０は補正後データ生成部の一例に相当するとともに、画像展開部５８０と第１の処理分岐部５６０と第２の処理分岐部５６５とをあわせたものは無補正データ生成部の一例に相当する。第１のデータ変換プログラム５００の各部の詳細については、図１および図５に示す本発明のデータ変換装置の第１実施形態が適用されたＲＩＰ１０１の各部の作用と一緒に説明する。
【００３５】
図５は、この第１のデータ変換プログラム５００を図１のパーソナルコンピュータ１００にインストールし、パーソナルコンピュータ１００を本発明のデータ変換装置の第１実施形態として動作させるときのＲＩＰ１０１の機能ブロック図である。以下では、ＲＩＰ１０１の構成要素と、それらの構成要素による作用の概略について説明する。
【００３６】
図１にも示すＲＩＰ１０１は、画像認識部６１０、処理指定部６２０、第１の処理分岐部６３０、第１の画像解析部６４０、色補正部６５０、第２の処理分岐部６５１、第２の画像解析部６５２、他補正部６５３、画像変換部６６０、文字変換部６７０、画像合成部６７５、および画像展開部６８０を備えている。図４に示す第１のデータ変換プログラム５００を図１〜図３に示すパーソナルコンピュータ１００にインストールすると、第１のデータ変換プログラム５００の画像認識部５１０は図５の画像認識部６１０を構成し、同様に、処理指定部５７０は処理指定部６２０を構成し、第１の処理分岐部５６０は第１の処理分岐部６３０を構成し、第１の画像解析部５２０は第１の画像解析部６４０を構成し、色補正部５３０は色補正部６５０を構成し、第２の処理分岐部５６５は第２の処理分岐部６５１を構成し、第２の画像解析部５３１は第２の画像解析部６５２を構成し、他補正部５３２は他補正部６５３を構成し、画像変換部５４０は画像変換部６６０を構成し、文字変換部５５０は文字変換部６７０を構成し、画像合成部５７５は画像合成部６７５を構成し、画像展開部５８０は画像展開部６８０を構成する。
【００３７】
画像認識部６１０には、オペレータによって編集されたページを表すページ記述データが入力される。このページ記述データにおいては、ページに含まれる画像は画像オブジェクトというまとまりで扱われるとともに、ページに含まれる文字は文字オブジェクトというまとまりで扱われる。画像認識部６１０は、入力されたページ記述データが表すページ中に含まれる画像オブジェクトおよび文字オブジェクトを認識する。また、処理指定部６２０から、図５の各要素での処理に用いられるプロファイルの指定や、画像オブジェクトおよび文字オブジェクトにそれぞれ施される処理の指定などを取得する。画像認識部６１０は、本発明のデータ変換装置における画像認識部の一例に相当する。画像認識部６１０で認識された画像オブジェクトは第１の処理分岐部６３０に送られ、文字オブジェクトは文字変換部６７０に送られる。また、処理指定部６２０から送られてきた各指定内容は、処理分岐部６３０および文字変換部６７０に送られる。
【００３８】
処理指定部６２０は、図２のマウス１４０およびキーボード１３０がその役割を担う。予め用意されているセットアップ画面に従い、オペレータがマウス１４０およびキーボード１３０を使って、図５の各要素での処理に用いられるプロファイルや、各要素で行われる処理の種類を指定すると、処理指定部６２０はそれらの指定内容を画像認識部６１０に送る。ここで、本実施形態においては、セットアップ画面を使って、画像変換部６６０で用いられ、画像オブジェクトを表す画像データを図１のカラープリンタ２００に合った色空間の画像データに変換する画像用プロファイル、文字変換部６７０で用いられ、文字オブジェクトを表す文字用データをカラープリンタ２００に合った色空間の文字用データに変換する文字用プロファイル、および画像展開部６８０で用いられ、ページを表すページ記述データをカラープリンタ２００および紙に合ったラスターデータに変換するプリンタ・紙用プロファイルを指定可能である。また、各要素で行われる色に関する処理の種類は、画像オブジェクトに対して行われる処理として、画像オブジェクトの色を印刷における好ましい色に変換する「好ましい色の処理」、画像オブジェクトの色を見た目の色味が合うように再現する「見た目忠実の処理」、およびページが出力される紙の色に係わらず白点は白点になるように測色値を忠実に再現する「測色的な処理」のいずれかを指定可能であり、文字オブジェクトに対して行われる処理としては、文字オブジェクトの色を彩度を保つように変換する「好ましい色の処理」、あるいはページが出力される紙の色に係わらず白点は白点になるように測色値を忠実に再現する「測色的な処理」のいずれかを指定可能である。さらに、本実施形態において画像オブジェクトに対して行われる処理には、主要な被写体に対して背景を明るくしたり濃くしたりする「ハイパートーン処理」、被写体の輪郭を明瞭にする「ハイパーシャープネス処理」、フラッシュ撮影で得られた人物像において目が赤く写ってしまっている場合にその目の色を補正する「赤目補正処理」、画像オブジェクト中の傷を補正する「傷消し処理」、撮影レンズの特性に起因する収差を補正する「レンズ収差補正処理」などがあり、処理指定部６２０では、これらの処理を実行するか否かが指定可能であり、特に上記の「ハイパートーン処理」、「ハイパーシャープネス処理」、「赤目補正処理」については、それぞれの処理のレベルも指定可能である。また、上記の「レンズ収差補正処理」については、処理の実行を指定する場合には、その処理で用いられるレンズ特性が入力される。このレンズ特性の入力は、セットアップ画面上に表示される複数の撮影レンズの名称の中から、オペレータが、撮影に用いた撮影レンズの名称を選択することによって実行される。この処理指定部６２０は、本発明のデータ変換装置における処理指定部の一例にあたる。
【００３９】
第１の処理分岐部６３０は、画像認識部６１０から送られてきた画像オブジェクトに施される処理の指定のうちの、色に関する処理の指定が上記の「好ましい色の処理」であった場合に、画像認識部６１０から送られてきた画像オブジェクトを第１の画像解析部６４０に送り、処理の指定が「好ましい色の処理」以外の処理（「見た目忠実の処理」あるいは「測色的な処理」）であった場合には、画像オブジェクトを第２の処理分岐部６５１に送る。この「好ましい色の処理」の指定は、本発明にいう「画像補正処理を実行する指定」の一例にあたり、「見た目忠実の処理」および「測色的な処理」は、本発明にいう「画像補正処理を実行しない指定」の一例に相当する。さらに、上記の処理指定部６２０で指定され、画像認識部６１０から送られてきた各指定内容は色補正部６５０と第２の処理分岐部６５１と他補正部６５３と画像変換部６６０に送られる。
【００４０】
第１の画像解析部６４０は、第１の処理分岐部６３０から送られてきた画像オブジェクトごとに色の階調の特性を解析するとともに、その画像オブジェクトのシーンを解析する。画像オブジェクトおよび解析された解析結果は色補正部６５０に送られる。また、その解析結果は、画像変換部６６０にも送られる。
【００４１】
色補正部６５０は、第１の画像解析部６４０から送られてきた画像オブジェクトに、その画像オブジェクトの色の階調の特性とその画像オブジェクトのシーンに応じて、画像オブジェクトに色の階調補正処理を施す。階調補正処理が施された画像オブジェクトは、第２の処理分岐部６５１に送られる。
【００４２】
第２の処理分岐部６５１は、画像認識部６１０から送られてきた画像オブジェクトに施される処理の指定のうち、「赤目補正処理」、「傷消し処理」、「ハイパートーン処理」、「ハイパーシャープネス処理」、および「レンズ収差補正処理」それぞれについて処理の実行が指定されているか否かを判定する。第２の処理分岐部６５１は、これらの処理のうち少なくとも１つの処理について実行が指定されている場合に、色補正部６５０から送られてきた画像オブジェクトと処理の指定内容を第２の画像解析部６５２に送り、全ての処理について実行しない旨が指定されている場合には、画像オブジェクトを画像変換部６６０に送る。
【００４３】
第２の画像解析部６５２は、第２の処理分岐部６５１から送られてきた処理の指定内容において、「赤目補正処理」の実行が指定されている場合に画像オブジェクトにおける赤目現象の検出を行ない、「傷消し処理」の実行が指定されている場合に画像オブジェクトにおける傷の検出を行なう。画像オブジェクトと赤目現象や傷に関する検出結果は、他補正部６５３に送られる。
【００４４】
他補正部６５３は、「赤目補正処理」、「傷消し処理」、「ハイパートーン処理」、「ハイパーシャープネス処理」、および「レンズ収差補正処理」のうち実行が指定された処理を、第２の画像解析部６５２から送られてきた画像オブジェクトに施す。ここで、「赤目補正処理」および「傷消し処理」には、それぞれ第２の画像解析部６５２によって検出された赤目現象や傷に関する検出結果が用いられて実行され、「赤目補正処理」、「ハイパートーン処理」、および「ハイパーシャープネス処理」は、処理指定部６２０で指定された処理のレベルに応じて実行され、「レンズ収差補正処理」には、処理指定部６２０でオペレータによって入力されたレンズ特性が用いられて実行される。これらの補正処理が施された画像オブジェクトは、画像変換部６６０に送られる。
【００４５】
画像変換部６６０は、他補正部６５３あるいは第２の処理分岐部６５１から画像オブジェクトを取得し、第２の画像解析部６５２からはシーン解析の結果を取得する。この画像変換部６６０は、取得した画像オブジェクトに、画像認識部６１０から送られてきた処理の指定（「好ましい色の処理」「見た目忠実の処理」「測色的な処理」）に従った処理を施し、処理の指定が「好ましい色の処理」であった場合には、画像オブジェクトの色合いを、例えば風景や人物などといったシーンに応じた好ましい色合いに補正する。さらに、この画像変換部６６０は、画像認識部６１０から送られてきた各指定内容のうちの画像用プロファイルを使って、画像オブジェクトを表現する画像データを、図１のカラープリンタ２００に合った色空間の画像データに変換する。変換された画像データに基づく画像オブジェクトは、画像合成部６７５に送られる。
【００４６】
文字変換部６７０は、画像認識部６１０から、文字オブジェクト、各指定内容を取得し、取得した文字オブジェクトに、処理の指定（「好ましい色の処理」「測色的な処理」）に従った処理を施す。さらに、各指定内容のうちの文字用プロファイルを使って、文字オブジェクトを表現する文字用データを、図１のカラープリンタ２００に合った色空間の文字用データに変換する。変換された文字用データに基づく文字オブジェクトは、画像合成部６７５に送られる。
【００４７】
画像合成部６７５は、画像変換部６６０から画像オブジェクト、文字変換部６７０から文字オブジェクトをそれぞれ取得し、これら２種類のオブジェクトによって構成されたページを表すページ記述データを生成する。生成されたページ記述データは、画像展開部６８０に送られる。
【００４８】
画像展開部６８０は、画像合成部６７５からページ記述データ、画像認識部６１０から各指定内容をそれぞれ取得し、プリンタ・紙用プロファイルを使って、取得したページ記述データによって表わされたページを表すラスターデータを生成する。生成されたラスターデータは、図２の出力インタフェース１１９を経由して、図１のカラープリンタ２００に送られる。
【００４９】
ＲＩＰ１０１は、基本的には以上のように構成されているものであり、次に、パーソナルコンピュータ１００を用いて、図１に示す出力画像２１０を生成する手順について説明する。
【００５０】
デジタルカメラで被写体を撮影することによって得られた撮影画像データや、カラースキャナによって原稿画像が読み込まれて得られた画像データは、図３の入力インタフェース１１８を介してパーソナルコンピュータ１００に入力され、ハードディスク装置１１５に記憶される。
【００５１】
オペレータは、キーボード１３０やマウス１４０を用いて、文字やハードディスク装置１１５に記憶された画像を含むページを編集する。
【００５２】
図６は、オペレータによって編集されたページを示す図である。ページ３００には、撮影画像データに基づく画像オブジェクト３１０，３２０，３５０、およびオペレータによって編集された文字オブジェクト３３０，３４０，３６０が示されている。ここで、この例では、これら複数の画像オブジェクト３１０，３２０，３５０はそれぞれ次のような特徴を有しているものとして説明する。まず画像オブジェクト３１０は、逆光で撮影されたために全体的に白っぽい画像であり、さらにこの画像オブジェクト３１０には傷３１１がある。画像オブジェクト３２０は、夕日のもとで撮影されたために全体的にオレンジがかった画像である。さらに、画像オブジェクト３５０は、フラッシュ撮影によって得られた画像であり、その画像中の人物の目３５１が閃光を反射して赤く写ってしまっている。
【００５３】
オペレータは、ページ３００を編集するときには、図示しないアイコンをクリックすることにより、図５のＲＩＰ１０１を起動させる。
【００５４】
図７は、図１の出力画像２１０を生成する際にＲＩＰ１０１内で行われる一連の処理を示すフローチャートである。以下では、このフローチャートに従って、ＲＩＰ１０１内で行われる処理について詳しく説明する。
【００５５】
図７のステップＳ１では、図５の各要素で用いられるプロファイルや、各要素で行われる処理が指定される。オペレータによってＲＩＰ１０１が起動されると、予め用意されたセットアップ画面が図２の表示画面１２１上に表示される。
【００５６】
図８は、セットアップ画面が表示された表示画面を示す図である。セットアップ画面８００には、画像オブジェクトにプロファイルが付いている（付加プロファイルと称する）場合には画像用プロファイルとして付加プロファイルを使うことを指定する埋め込みプロファイル指定部８１０、予め用意されているプロファイルの中から画像用プロファイルを選択する画像用プロファイル指定部８２０、画像オブジェクトに施される色処理（「好ましい色の処理」「見た目忠実の処理」「測色的な処理」）を選択する画像オブジェクト用色処理指定部８３０、予め用意されているプロファイルの中から文字用プロファイルを選択する文字用プロファイル指定部８４０、文字オブジェクトに施される色処理（「好ましい色の処理」「測色的な処理」）を選択する文字オブジェクト用色処理指定部８５０、予め用意されているプロファイルの中からプリンタ・紙用プロファイルを選択するプリンタ・紙用プロファイル指定部８６０、画像オブジェクトに施される補正処理（「赤目補正処理」「傷消し処理」「ハイパートーン処理」「ハイパーシャープネス処理」「レンズ収差補正処理」）の実行の有無や処理レベルなどの組合せを、複数の組合せそれぞれに付された名称（例えば、パターン１）の中から所望の組合せに付された名称を選択することにより設定する補正処理設定部８９０が備えられている。ここで、上記の補正処理の組合せは、図示しない補正処理用のセットアップ画面で複数作成され、それぞれの組合せに名称が付される。オペレータは、図８のセットアップ画面８００において、補正処理設定部８９０を操作して、上記の複数の組合せの中から所望の組合せを選択する。
【００５７】
さらに、セットアップ画面８００には、処理の決定を指示するＯＫボタン８７０と処理の中止を決定するキャンセルボタン８８０が備えられている。
【００５８】
オペレータは、図８のセットアップ画面８００に従って、各種プロファイルや、各要素で行われる各種処理を指定し、さらに、マウス１４０でＯＫボタン８７０を押して処理の決定を指示する。各指定内容は、図５の処理指定部６２０から画像認識部６１０に送られる。また、処理の決定が指示されると、ページ３００を表すページ記述データも、画像認識部６１０に送られる（図７のステップＳ２）。
【００５９】
画像認識部６１０は、各指定内容およびページ記述データを取得すると、ページ記述データが表すページに含まれる画像オブジェクトおよび文字オブジェクトを認識し（図７のステップＳ３）、指定内容および認識した画像オブジェクトを第１の処理分岐部６３０に送るとともに、指定内容および認識した文字オブジェクトを画像展開部６８０に送る。すなわち、図６に示すページ３００のうち、画像オブジェクト３１０、画像オブジェクト３２０、および画像オブジェクト３５０は図５の第１の処理分岐部６３０に送られ、文字オブジェクト３３０、文字オブジェクト３４０、および文字オブジェクト３６０は文字変換部６７０に送られる。
【００６０】
第１の処理分岐部６３０に画像オブジェクトが送られてきた場合には、図７のステップＳ４からステップＳ５へ進み、第１の処理分岐部６３０において、画像認識部から送られてきた各指定内容のうち画像オブジェクト用色処理が「好ましい色の処理」であるか否かが判定される。
【００６１】
画像オブジェクト用色処理として「好ましい色の処理」が指定された場合、第１の処理分岐部６３０は、画像認識部から送られてきた各指定内容および画像オブジェクトを第１の画像解析部６４０に送る。
【００６２】
第１の画像解析部６４０は、まず、送られてきた各画像オブジェクトごとに、パターン認識による、画像オブジェクトに写っている人物の顔や目などといった対象物の推定を実施する（図７のステップＳ６）。
【００６３】
次に、第１の画像解析部６４０は、各画像オブジェクトごとに、色成分ごとの割合と、明るい領域および暗い領域の面積の分布などをそれぞれ解析する（図７のステップＳ７）。
【００６４】
これらステップＳ６およびステップＳ７で実施される処理によって、第１の画像解析部６４０は、画像オブジェクトの色の階調の特性と、その画像オブジェクトが、どのようなシーンの画像（例えば、人物画像、風景画像、夕景画像など）であるのかといったシーンに関する情報を得る。図６の例では、まず図６の画像オブジェクト３１０について、「全体的に白っぽく偏った階調」という色の階調の特性が得られる。さらにその画像オブジェクト３１０に写っている対象物が「山」と「背景」であると推定されることから、この画像オブジェクト３１０が「山を写した風景画像」であるというシーンに関する情報が得られる。また、図６の画像オブジェクト３１０については、「全体的にオレンジに偏った階調」という色の階調の特性と、「花を写した夕景画像」であるというシーンに関する情報が得られ、さらに、図６の画像オブジェクト３５０については、その画像オブジェクト３５０に関する色の階調の特性と、「フラッシュ撮影で写された人物画像」であるというシーンに関する情報が得られる。処理の各指定内容、画像オブジェクト、色の階調の特性、およびシーンに関する情報は、色補正部６５０に送られる。
【００６５】
色補正部６５０は、第１の画像解析部６４０から画像オブジェクトと、色の階調の特性、およびシーンに関する情報を取得すると、画像オブジェクトごとに、その画像オブジェクトの色の階調を、その画像オブジェクトのシーンに適した所定の階調に補正する色補正処理を施す（図７のステップＳ８）。この階調は、印刷における好ましい色の階調であり、図６の例では、図６の画像オブジェクト３１０は、全体的に白く偏っていた色の階調が「山を写した風景画像」に適した好ましい色の階調となるように色が補正され、画像オブジェクト３２０は、全体的にオレンジに偏っていた色の階調が「花を写した夕景画像」に適した好ましい色の階調となるように色が補正され、画像オブジェクト３５０は、色の階調が「フラッシュ撮影で写された人物画像」に適した好ましい色の階調となるように色が補正される。これらの色補正処理が施された画像オブジェクト、および処理の各指定内容は、第２の処理分岐部６５１に送られる。
【００６６】
第２の処理分岐部６５１では、前述したように、画像認識部から送られてきた各指定内容のうち「赤目補正処理」、「傷消し処理」、「ハイパートーン処理」、「ハイパーシャープネス処理」、および「レンズ収差補正処理」それぞれについて処理の実行が指定されているか否かが判定される（図７のステップＳ９）。そして、これらの処理のうち少なくとも１つの処理について実行が指定されている場合、第２の処理分岐部６５１は、処理の各指定内容および画像オブジェクトを第２の画像解析部６５２に送る。
【００６７】
第２の画像解析部６５２は、第２の処理分岐部６５１から送られてきた処理の指定内容において、「赤目補正処理」の実行が指定されている場合に画像オブジェクトにおける赤目現象の検出を行ない、「傷消し処理」の実行が指定されている場合に画像オブジェクトにおける傷の検出を行なう（図７のステップＳ１０）。ここで、以下では、「赤目補正処理」および「傷消し処理」の実行がともに指定されているとして説明を続ける。図６の例では、第２の画像解析部６５２は、図６の画像オブジェクト３１０において画像中の「傷」を検出し、さらに画像オブジェクト３５０において「人物の目」が赤目状態にあることを検出する。これら各画像オブジェクトにおいて検出された不具合の検出結果、画像オブジェクト、および処理の各指定内容は、他補正部６５３に送られる。
【００６８】
他補正部６５３は、第２の画像解析部６５２から画像オブジェクト、不具合の検出結果、および処理の各指定内容を取得すると、画像オブジェクトに、前述したように、「赤目補正処理」、「傷消し処理」、「ハイパートーン処理」、「ハイパーシャープネス処理」、および「レンズ収差補正処理」のうち実行が指定されている処理を施す（図７のステップＳ１１）。ここで、以下では、これらの処理全てについて実行が指定されているとして説明を続ける。
【００６９】
まず、他補正部６５３では、人物の目が赤く写ってしまっている画像オブジェクトに前述した「赤目補正処理」が施される。図６の例では、図６の画像オブジェクト３５０において、上記のシーン解析によって赤目状態にある目３５１の色が好ましい色に補正される。
【００７０】
この他補正部６５３では、また、傷を有する画像オブジェクトに、上記の「傷消し処理」が施される。図６の例では、図６の画像オブジェクト３１０において、傷３１１に相当する画像部分に、周辺の画像部分が複写されることによって傷が消される。
【００７１】
この他補正部６５３では、さらに各画像オブジェクトに対して、主要な被写体に対して背景を明るくしたり濃くしたりする「ハイパートーン処理」、被写体の輪郭を明瞭にする「ハイパーシャープネス処理」が施される。例えば、図６の画像オブジェクト３１０は、前述したように逆光で撮影された画像である。このような逆光で撮影された画像では、背景においていわゆる白とびが発生して背景がはっきりしなくなっていることが多い。他補正部６５３は、画像オブジェクト３１０に「ハイパートーン処理」を施して、ステップＳ６の処理で推定された「背景」に相当する画像部分を濃くすることにより背景をはっきりと再現させる。また、他補正部６５３は、上記の「ハイパーシャープネス処理」によって被写体の輪郭が明瞭にされることにより、画像の見た目の印象をくっきりさせる。また、「ハイパートーン処理」において画像部分をどの程度濃くするか、「ハイパーシャープネス処理」において被写体の輪郭をどの程度明瞭にさせるかなどといった処理のレベルは、前述したようにオペレータによって予め設定される。
【００７２】
この他補正部６５３では、また、各画像オブジェクトに対して、撮影レンズの特性に起因する収差を補正する「レンズ収差補正処理」が施される。この他補正部６５３では、歪収差と色収差との両方が補正される。また、この「レンズ収差補正処理」で用いられるレンズ特性は、前述したようにオペレータによって予め入力される。
【００７３】
以上説明したステップＳ６〜ステップＳ１１の処理によって各種画像補正処理が施された画像オブジェクト、および各指定内容は、画像変換部６６０に送られる。
【００７４】
上記では、ステップＳ５において、画像オブジェクト用色処理として「好ましい色の処理」が指定され、さらにステップＳ９において、「赤目補正処理」、「傷消し処理」、「ハイパートーン処理」、「ハイパーシャープネス処理」、および「レンズ収差補正処理」のうち少なくとも１つの処理が実行を指定されていた場合について説明したが、以下では、これらの場合とは異なる場合における処理について説明する。
【００７５】
まず、ステップＳ５において、「好ましい色の処理」以外の処理（「見た目忠実の処理」「測色的な処理」）が指定されていると判定された場合は、図５の第１の処理分岐部６３０において画像オブジェクトおよび各指定内容が第２の処理分岐部６５１に送られることにより、図７のステップＳ６〜ステップＳ８は省略されて、ステップＳ５からステップＳ９に進む。さらに、ステップＳ９において、「赤目補正処理」、「傷消し処理」、「ハイパートーン処理」、「ハイパーシャープネス処理」、および「レンズ収差補正処理」の全ての処理について処理を実行しないと指定されていると判定された場合は、図５の第２の処理分岐部６５１において画像オブジェクトおよび各指定内容が画像変換部６６０に送られることにより、図７のステップＳ１０およびステップＳ１１は省略されて、ステップＳ９からステップＳ１２に進む。このように、例えば、レタッチソフトなどを使って、すでに画像オブジェクトに各種画像補正処理が施されている場合などには、ステップＳ６〜ステップＳ８で行われる補正処理や、ステップＳ１０およびステップＳ１１で行われる補正処理を省略し、処理を高速化することができる。
【００７６】
画像変換部６６０には、他補正部６５３から補正処理後の画像オブジェクト、あるいは、第２の処理分岐部６５１から補正前の画像オブジェクトのいずれかが送られてくる。また、画像変換部６６０は、他補正部６５３あるいは第２の処理分岐部６５１から処理指定部６２０で設定された各指定内容を取得し、さらに、他補正部６５３から画像オブジェクトについてのシーンに関する情報を取得する。画像変換部６６０は、画像オブジェクトを取得すると、画像認識部６１０から送られてきた画像オブジェクト用色処理の指定（「好ましい色の処理」「見た目忠実の処理」「測色的な処理」）に従って、各画像オブジェクト用色処理ごとに定められた所定の処理を画像オブジェクトに施す。また画像オブジェクト用色処理として「好ましい色の処理」が指定されている場合には、画像オブジェクトの色合いが、その画像オブジェクトのシーンに関する情報が示す、例えば、「山を写した風景」などといったシーンに適した好ましい色合いとなるような処理が施される。さらに、画像変換部６６０は、画像用プロファイルを使って、画像オブジェクトを表現する画像データを、図１のカラープリンタ２００に合った色空間の画像データに変換する（図７のステップＳ１２）。変換された画像データに基づく画像オブジェクトは、画像合成部６７５に送られる。
【００７７】
ここで、図７のステップＳ４に戻って説明する。画像認識部６１０において認識されたオブジェクトが文字オブジェクトであった場合、ステップＳ４からステップＳ１３に進む。
【００７８】
画像認識部６１０は、認識した文字オブジェクト、および処理指定部６２０で設定された各指定内容を文字変換部６７０に送る。この例では、図６のページ３００における文字オブジェクト３３０および文字オブジェクト３４０を図５の文字変換部６７０に送る。
【００７９】
文字変換部６７０は、画像認識部６１０から送られてきた文字オブジェクトに、文字オブジェクト用色処理の指定（「好ましい色の処理」「測色的な処理」）に従って、各文字オブジェクト用色処理ごとに定められた所定の処理を文字オブジェクトに施す。さらに、文字変換部６７０は、文字用プロファイルを使って、文字オブジェクトを表現する文字用データを、図１のカラープリンタ２００に合った色空間の文字用データに変換する（図７のステップＳ１３）。変換された文字用データに基づく文字オブジェクトは、画像合成部６７５に送られる。
【００８０】
画像変換部６６０から画像オブジェクトを取得し、文字変換部６７０から文字オブジェクトを取得すると、画像合成部６７５は、それらのオブジェクトを含むページを表すページ記述データを生成する。そして、この画像合成部６７５によって生成されたページ記述データが画像展開部６８０に送られ、この画像展開部６８０は、このページ記述データを、プリンタ・紙用プロファイルを使って、ラスターデータに変換する（図７のステップＳ１４）。変換されたラスターデータは、図３の出力インタフェース１１９を経由して図１のカラープリンタ２００に送られ、カラープリンタ２００によって出力画像２１０が作成される。
【００８１】
このように、ＲＩＰ１０１において、各画像オブジェクトの色の特性をそれぞれ解析して、各画像オブジェクトに合った色補正処理をそれぞれ施すことによって、煩雑な作業を必要とせずに、高速に、色補正処理が施された画像によって構成された出力画像を作成することができる。
【００８２】
次に、本発明のデータ変換装置の第２実施形態および、コンピュータをこの第２実施形態として動作させる、本発明のデータ変換プログラムの第２実施形態について説明する。
【００８３】
図９は、本発明のデータ変換プログラムの第２実施形態が記憶されたＣＤ−ＲＯＭ４１０を示す概念図である。
【００８４】
図９に示す第２のデータ変換プログラム９００は、図４に示す第１のデータ変換プログラム５００から画像展開部５８０を除いたものであり、この第２のデータ変換プログラム９００の各構成要素は、第１のデータ変換プログラム５００の画像展開部５８０以外の各構成要素と同等である。これら第１のデータ変換プログラム５００の構成要素と同等な構成要素には図４と同じ符号を付して重複説明を省略する。
【００８５】
図１０は、この第２のデータ変換プログラム９００を図１のパーソナルコンピュータ１００にインストールし、パーソナルコンピュータ１００を本発明のデータ変換装置の第２実施形態として動作させるときのデータ変換装置１１００の機能ブロック図である。
【００８６】
図１０に示すデータ変換装置１１００は、図５に示すＲＩＰ１０１から画像展開部６８０を除いたものであり、このデータ変換装置１１００の各構成要素は、ＲＩＰ１０１の画像展開部６８０以外の各構成要素と同等である。これらＲＩＰ１０１の構成要素と同等な構成要素には図５と同じ符号を付して重複説明を省略する。
【００８７】
このようなデータ変換装置１１００によれば、煩雑な作業を必要とせずに、色補正処理が施された画像によって構成されたページを表わすページ記述データを作成することができる。そして、そのようなページ記述データを、例えば、それぞれラスターデータの作成機能を有し、互いに異なる出力プロファイルを用いて画像を出力する複数種類の画像プリントシステムに送り、それら複数種類の画像プリントシステムで並行して画像を出力するなどといった運用を行なうことができる。
【００８８】
以上で、各実施形態の説明を終了する。
【００８９】
ここで、上記では、ＲＩＰにカラープリンタを接続する例について説明したが、ＲＩＰに接続する出力デバイスとしては、フィルムプリンタなどを接続してもよい。
【００９０】
また、上記では、色に関する特性として色の階調の特性を解析する例について説明したが、本発明にいう画像解析部は、色の階調以外の、色に関係する特性を解析するものであってもよい。
【００９１】
また、上記では、２種類の処理分岐部と画像変換部とに分けられた無補正データ生成部を備えたデータ変換装置の例について説明したが、本発明にいう無補正データ生成部は、「画像補正処理を実行しない指定」がなされた場合に、画像オブジェクトに色補正処理を行わずにラスターデータを生成するものであれば、１つの要素で行うものであっても、それ以上の要素でおこなうものであってもよい。
【００９２】
また、上記では、補正後データ生成部と無補正データ生成部との役割を兼用した画像変換部を備えた例について説明したが、本発明においては、補正後データ生成部と無補正データ生成部とを別々に備えたものであってもよい。
【図面の簡単な説明】
【００９３】
【図１】本発明の一実施形態が適用された画像処理システムの全体構成図である。
【図２】パーソナルコンピュータの外観斜視図である。
【図３】パーソナルコンピュータのハードウェア構成図である。
【図４】本発明のデータ変換プログラムの第１実施形態が記憶されたＣＤ−ＲＯＭ４１０を示す概念図である。
【図５】本発明のデータ変換装置の第１実施形態であるＲＩＰの機能ブロック図である。
【図６】オペレータによって編集されたページを示す図である。
【図７】ＲＩＰで行われる一連の処理を示すフローチャートである。
【図８】セットアップ画面が表示された表示画面を示す図である。
【図９】本発明のデータ変換プログラムの第２実施形態が記憶されたＣＤ−ＲＯＭ４１０を示す概念図である。
【図１０】本発明のデータ変換装置の第２実施形態の機能ブロック図である。
【符号の説明】
【００９４】
１００    パーソナルコンピュータ
１０１    ＲＩＰ
１１０    本体装置
１１１    ＦＤ装填口
１１２    ＣＤ−ＲＯＭ装填口
１１３    ＣＰＵ
１１４    主メモリ
１１５    ハードディスク装置
１１６    ＦＤドライブ
１１７    ＣＤ−ＲＯＭドライブ
１１８    入力インタフェース
１１９    出力インタフェース
１２０    画像表示装置
１２１  表示画面
１３０    キーボード
１４０    マウス
１５０    バス
２００    カラープリンタ
２１０    出力画像
３００    ページ
３１０    画像オブジェクト
３１１    傷
３２０    画像オブジェクト
３３０    文字オブジェクト
３４０    文字オブジェクト
３５０    画像オブジェクト
３５１    目
３６０    文字オブジェクト
４００    ＦＤ
４１０    ＣＤ−ＲＯＭ
５００    第１のデータ変換プログラム
５１０    画像認識部
５２０    第１の画像解析部
５３０    色補正部
５３１    第２の画像解析部
５３２    他補正部
５４０    画像変換部
５５０    文字変換部
５６０    第１の処理分岐部
５６５    第２の処理分岐部
５７０    処理指定部
５７５    画像合成部
５８０    画像展開部
６１０    画像認識部
６２０    処理指定部
６３０    第１の処理分岐部
６４０    第１の画像解析部
６５０    色補正部
６５１    第２の処理分岐部
６５２    第２の画像解析部
６５３    他補正部
６６０    画像変換部
６７０    文字変換部
６７５    画像合成部
６８０    画像展開部
８１０    埋め込みプロファイル指定部
８２０    画像用プロファイル指定部
８３０    画像オブジェクト用色処理指定部
８４０    文字用プロファイル指定部
８５０    文字オブジェクト用色処理指定部
８６０    プリンタ・紙用プロファイル指定部
８７０    ＯＫボタン
８８０    キャンセルボタン
８９０    補正処理設定部
９００    第２のデータ変換プログラム
１１００    データ変換装置
【図１】
2004274720.tif 000003
【図２】
2004274720.tif 000004
【図３】
2004274720.tif 000005
【図４】
2004274720.tif 000006
【図５】
2004274720.tif 000007
【図６】
2004274720.tif 000008
【図７】
2004274720.tif 000009
【図８】
2004274720.tif 000010
【図９】
2004274720.tif 000011
【図１０】
2004274720.tif 000012